(57)【要約】【課題】  バリア開き状態において、開口部１０６ａより砂等の異物が進入した場合にこれを遮ることができず、歯車部１０１ｂ、１０２ｂに異物が挟まり、レンズ鏡筒が沈胴してもバリアが閉じきらなくなる問題があった。【解決手段】  レンズバリアの開状態において、前記主動バリア部材および前記従動バリア部材の連結歯車部の光路側にあたる位置に、前記バリア駆動部材に壁を設けた。【選択図】  図４
2005070594.tif 000002
【特許請求の範囲】
【請求項１】
各々の基端部に設けられた歯車により連結された主動バリア部材と従動バリア部材とを備え、
前記主動バリア部材が回動するのと一体となって前記従動バリア部材が回動することによって、撮影光学系の光路を遮断する閉位置と、これより外方に退避する開位置との間で開閉可能であるレンズバリアと、略リング状に形成され、ほぼ光軸を中心に回転し、該リング状の部材の一部に設けられた駆動用部材により、前記主動バリア部材を開閉動作させるバリア駆動部材とを有し、
前記レンズバリアの開状態において、前記主動バリア部材および前記従動バリア部材の連結歯車部の光路側にあたる位置に、前記バリア駆動部材に壁を設けたことを特徴とするバリア機構。
【請求項２】
各々の基端部に設けられた歯車により連結された主動バリア部材と従動バリア部材とを備え、
前記主動バリア部材が回動するのと一体となって前記従動バリア部材が回動することによって、撮影光学系の光路を遮断する閉位置と、これより外方に退避する開位置との間で開閉可能であるレンズバリアと、略リング状に形成され、ほぼ光軸を中心に回転し、該リング状の部材の一部に設けられた駆動用部材により、前記主動バリア部材を開閉動作させるバリア駆動部材と有し、
前記主動バリア部材を開位置へ駆動する際には、前記駆動部材で直接駆動し、閉位置へ駆動する際には前記駆動部材と前記主動バリア部材との間に弾性部材を介して駆動する事を特徴とするバリア機構。
【請求項３】
前記主動バリア部材と、前記従動バリア部材と、前記弾性部材と、前記バリア駆動部材の一部である駆動用部材と、さらに、前記バリア駆動部材をバリアの開方向へ付勢するための機構の少なくとも一部が、光軸の方向に関して領域を共有している事を特徴とする請求項２項に記載のバリア機構。
【請求項４】
前記主動バリア部材のバリア開状態での位置と、前記バリア駆動部材をバリアの開方向へ付勢する部材を前記バリア駆動部材に連結する部分のバリア閉状態での位置と、光軸に直交する平面内で重なる事を特徴とする請求項１から３のいずれかに記載のバリア機構。
【発明の詳細な説明】
【技術分野】
【０００１】
本発明は、デジタルスチルカメラ、ビデオカメラ等の撮像装置に関する。
【背景技術】
【０００２】
従来のコンパクトカメラは、レンズ開口を開閉するバリア機構をレンズ鏡筒前面に備えているタイプが一般化している。このバリア機構は、一般的に複数枚のバリア羽根をレンズ鏡筒が非撮影位置から撮影位置に移動するのに連動させて、閉状態から開状態へと移行させるものである。
【０００３】
図９、図１０を用いて従来のバリア機構について説明する。主バリア１０１、副バリア１０２は回転中心１０１ａ、１０２ａを中心に回動自在に不図示の地板に固定されていて、開口部１０６ａが形成された不図示のカバー部材１０６が前記主バリア１０１、副バリア１０２の直前位置に配置されている。前記主バリア１０１と前記副バリア１０２とは歯車部１０１ｂ、１０２ｂで互いに係合していて、主バリア１０１を回転させると、その回転力が副バリア１０２に伝達される。地板の裏には、前記主バリア１０１と略同一の回転中心回りで回転可能な開閉レバー１０３が取り付けられており、この開閉レバー１０３は駆動バネ１０４によって図中反時計回り方向に付勢されている。前記開閉レバー１０３には前方に延びる駆動軸１０３ａが形成されており、この駆動軸１０３ａは不図示の地板に形成された長穴を貫通して前記主バリア１０１に形成された吸収穴１０１ｃに嵌合している。前記主バリア１０１の裏面には、不図示の座繰り部が形成されており、この座繰り部に線バネ形状をした吸収バネ１０５が収容されている。前記吸収バネ１０５は固定部分１０５ａにより前記主バリア１０１に固定されており、動作部１０５ｂが固定部分１０５ａにつながる構成となっている。また、前記吸収バネ１０５は前記主バリア１０１に取り付けられた通常状態（図９、図１０のような状態）では動作部１０５ｂに矢印ｆ’で示す付勢力を発生し、この付勢力ｆ’は前記開閉レバー１０３の前記駆動軸１０３ａを前記主バリア１０１の前記吸収穴１０１ｃの端面に当接させておくように作用する。これによって、前記開閉レバー１０３と前記主バリア１０１とが一体的に回転することができ、さらに前記副バリア１０２を回転させることができる。
【０００４】
次に従来のバリア機構の開閉動作について説明する。レンズ鏡筒が非撮影位置に移動する場合、すなわちレンズ鏡筒が繰り込み動作を行った場合、レンズ鏡筒から前記駆動バネ１０４に抗する動力（レンズ鏡筒の沈胴力や合焦モータからの回転力等）を受けて前記開閉レバー１０３が時計回り方向に回転すると、前記駆動軸１０３ａも時計回り方向に回転し、これと一体となって前記主バリア１０１が時計回り方向に回転するとともに前記副バリア１０２が反時計回り方向に回転し、図９のバリア閉じ状態となる。レンズ鏡筒が撮影位置に移動する場合、すなわちレンズ鏡筒が繰り出し動作を行った場合、レンズ鏡筒の動力から開放された前記開閉レバー１０３が前記駆動バネ１０４に反時計回り方向に回転付勢され、これと一体となって前記主バリア１０１が反時計回り方向に回転するとともに前記副バリア１０２が時計回り方向に回転し、図１０に示すバリア開き状態となる。
【特許文献１】特開平９−２１１５３６号公報
【発明の開示】
【発明が解決しようとする課題】
【０００５】
しかしながら上記従来例においては、図１０のバリア開き状態において前記主バリア１０１、副バリア１０２の歯車部１０１ｂ、１０２ｂが剥き出しになっているため、前記開口部１０６ａより砂等の異物が進入した場合にこれを遮ることができず、歯車部１０１ｂ、１０２ｂに異物が挟まり、レンズ鏡筒が沈胴してもバリアが閉じきらなくなる問題があった。
【０００６】
また、上記従来例においては、前記開閉レバー１０３が前記主バリア１０１と略同一の回転中心を持つため、前記開閉レバー１０３の近傍に配置する必要がある前記駆動バネ１０４を、その構成上バリアの移動部分も含めた前記主バリア１０１と前記副バリア１０２の動作領域外に配置することができない。このため図１１に示すように、前記駆動バネ１０４は前記主バリア１０１、前記副バリア１０２および不図示の地板の後方に配置しなければならず、バリア機構の薄型化を図る場合、可能な限り前記開閉レバー１０３を薄くしたとしても、前記駆動バネ１０４の巻き径の厚み分だけは最低必要となってしまう。なお、引っ張りバネ（前記駆動バネ１０４）の線径や巻き径を細くしてバネの厚みを薄くする方法が考えられるが、通常の作動範囲でバネの弾性限界を超えてしまい、バネの機能を十分に発揮させることができないおそれがある。
【０００７】
そこで本発明は、歯車によって連結された主動バリアと従動バリアの２枚のバリアを、略リング状のバリア駆動部材を光軸周りに回転させることによって開閉動作させるバリア機構において、バリア開状態にて連結歯車部の光路側にあたる位置に、バリア駆動部材に壁を設けることにより、砂等の異物が進入しても快適に動作するバリア機構を提供することを第一の目的としている。また、歯車によって連結された主動バリアと従動バリアの２枚のバリアを、略リング状のバリア駆動部材を光軸周りに回転させることによって開閉動作させるバリア機構であって、主動バリアのバリア開状態での位置と、バリア駆動部材をバリア開方向へ付勢する部材をバリア駆動部材に連結する部分のバリア閉状態での位置とが、光軸に直交する平面内で重なる構成とすることにより、径方向の大型化を防止し、かつ薄型化を図ったバリア機構を提供することを第二の目的としている。
【課題を解決するための手段】
【０００８】
本出願に係る発明の目的を実現する構成は、請求項１に記載のように、各々の基端部に設けられた歯車により連結された主動バリア部材と従動バリア部材とを備え、前記主動バリア部材が回動するのと一体となって前記従動バリア部材が回動することによって、撮影光学系の光路を遮断する閉位置と、これより外方に退避する開位置との間で開閉可能であるレンズバリアと、略リング状に形成され、ほぼ光軸を中心に回転し、該リング状の部材の一部に設けられた駆動用部材により、前記主動バリア部材を開閉動作させるバリア駆動部材とを備えてなるバリア機構であって、前記レンズバリアの開状態において、前記主動バリア部材および前記従動バリア部材の連結歯車部の光路側にあたる位置に、前記バリア駆動部材に壁を設けたことを特徴とするバリア機構にある。
【０００９】
この構成によれば、砂等の異物がバリア内に進入しても、バリアの連結歯車部に異物が挟まってしまうことなく、レンズ鏡筒が沈胴してもバリアが閉じきらなくなることを防ぐことが可能である。
【００１０】
本出願に係る発明の目的を実現する他の構成は、請求項２に記載のように、各々の基端部に設けられた歯車により連結された主動バリア部材と従動バリア部材とを備え、前記主動バリア部材が回動するのと一体となって前記従動バリア部材が回動することによって、撮影光学系の光路を遮断する閉位置と、これより外方に退避する開位置との間で開閉可能であるレンズバリアと、略リング状に形成され、ほぼ光軸を中心に回転し、該リング状の部材の一部に設けられた駆動用部材により、前記主動バリア部材を開閉動作させるバリア駆動部材とを備えてなるバリア機構であって、前記主動バリア部材を開位置へ駆動する際には、前記駆動部材で直接駆動し、閉位置へ駆動する際には前記駆動部材と前記主動バリア部材との間に弾性部材を介して駆動する事を特徴とするバリア機構にある。
【００１１】
この構成によれば、従来開閉レバーにより主動バリアを駆動していたために駆動バネの配置に制限があったものを、光軸中心に回転するバリア駆動部材により主動バリアを駆動することによって、駆動バネの配置の自由度が増し、バリア機構の薄型化を図ることが可能である。
【００１２】
本出願に係る発明の目的を実現する具体的な構成は、請求項３に記載のように、前記主動バリア部材と、前記従動バリア部材と、前記弾性部材と、前記バリア駆動部材の一部である駆動用部材と、さらに、前記バリア駆動部材をバリアの開方向へ付勢するための機構の少なくとも一部が、光軸の方向に関して領域を共有している事を特徴とする特許請求の範囲２項記載のバリア機構にある。
【００１３】
この構成によれば、バリア機構の厚み方向の寸法を押さえて、バリア機構の薄型化を図ることが可能である。
【００１４】
本出願に係る発明の目的を実現する具体的な構成は、請求項４に記載のように、前記主動バリア部材のバリア開状態での位置と、前記バリア駆動部材をバリアの開方向へ付勢する部材を前記バリア駆動部材に連結する部分のバリア閉状態での位置と、光軸に直交する平面内で重なる事を特徴とする特許請求の範囲１，２，３項記載のバリア機構にある。
【００１５】
この構成によれば、バリア機構を径方向に大型化することなく薄型化を図ることが可能である。
【発明の効果】
【００１６】
以上説明したように、本発明によれば、砂等の異物がバリア内に進入しても、バリアの連結歯車部に異物が挟まってしまうことなく、レンズ鏡筒が沈胴してもバリアが閉じきらなくなることを防ぐことができる従来にない画期的な効果がある。
【発明を実施するための最良の形態】
【００１７】
以下に発明を実施するための最良の形態について説明する。
【実施例１】
【００１８】
図１は本実施例におけるバリア機構の構成斜視図である。図２は主バリア羽根を背面側から見た斜視図である。図３は吸収バネの正面図である。図４はバリア閉じ状態での正面図である。図５はバリア開き状態での正面図である。図６は副バリア羽根を背面側から見た斜視図である。図７はバリア閉じ状態での右側面図である。図８はバリア開き状態での補助詳細図である。
【００１９】
駆動部材５はレンズ鏡筒６のレンズ保持部６ｂの外周面を摺動面として円周方向に回転可能となるように組み込まれており、バリア開きバネ７の両端が前記レンズ鏡筒６のピン６ａと前記駆動部材５に形成されたフック５ａに係止され、常に時計回り方向に回転付勢されている。ベース部材４は前記レンズ保持部６ｂの前面に配置され、バヨネット方式により前記レンズ鏡筒６に装着される。前記駆動部材５は前記ベース部材４が装着されることにより、前記レンズ鏡筒６と前記ベース部材４に挟まれて光軸方向に規制される。主バリア羽根１、副バリア羽根２は前記ベース部材４の前面に配置されており、前記レンズ鏡筒６に突設されたピン６ｃ、６ｄ（光軸と平行な軸線を持つ）に孔１ａ、２ａで回動自在に支持されている。前記主バリア羽根１と前記副バリア羽根２とは歯車部１ｂ、２ｂで互いに係合していて、主バリア羽根１を回転させると、その回転力が副バリア羽根２に伝達される。前記駆動部材５には光軸と平行に鏡筒前方に延びる駆動ピン５ｂと、円周方向に所定の長さを有する防塵壁５ｃが形成されており、これら駆動ピン５ｂと防塵壁５ｃは前記ベース部材４に形成された長穴４ａを貫通して、駆動ピン５ｂは前記主バリア羽根１に形成された端面１ｄに当接する。図２に示すように、前記主バリア羽根１の裏面には座繰り部１ｅが形成されており、この座繰り部１ｅには線バネ形状をした吸収バネ３が取り付けられる。前記吸収バネ３は、前記主バリア羽根１に形成された固定部１ｆに固定されるフック部３ａと、前記フック部３ａにつながる動作部３ｂとから構成されている。前記吸収バネ３は、未変形状態では図３に破線で示す形状になっていて、前記主バリア羽根１に取り付けられた通常状態（図４、図５のような状態）では実線で示した形状に変形し、前記動作部３ｂに矢印ｆで示す付勢力を発生する。付勢力ｆは、図５に示すように、前記駆動部材５の駆動ピン５ｂを前記主バリア羽根１の端面１ｄに当接させておくように作用する。これによって、前記駆動部材５と前記主バリア羽根１とが一体的に回転することができ、さらには前記副バリア羽根２を回転させることができる。そして、前記吸収バネ３の動作部３ｂの先端を折り曲げた形状とすることによって、図５のバリア開き状態において、カバー部材８の開口部８ａから前記動作部３ｂが見えないようにしてあり、かつ付勢力ｆが図４のバリア閉じ状態および図５のバリア開き状態のいずれにおいても常に前記駆動部材５の径方向に対して略９０度を保つようになっていて、付勢力ｆを効率よく前記駆動ピン５ｂに作用させることができる。また、図６に示すように、前期副バリア羽根２の裏面には座繰り部２ｃが形成されており、図４のバリア閉じ状態において、前記防塵壁５ｃおよび前記吸収バネ３の動作部３ｂの光軸方向の厚みを吸収する構造となっている。カバー部材８は光学系の光軸を中心とする中央部に開口部８ａを有しており、前記ベース部材４に対する位相を合わせて、前記主バリア羽根１、副バリア羽根２の直前位置に配置される。このように本発明におけるバリア装置の構成にすることによって、図７で示すように前記バリア開きバネ７を前記主バリア羽根１、前記副バリア羽根２と前記駆動部材５の光軸方向厚み内に配置することができる。これにより、バリア機構を光軸方向において薄型にすることができる。
【００２０】
次に本実施例のバリア機構の開閉動作について説明する。前記レンズ鏡筒６が非撮影位置に移動する場合、すなわち前記レンズ鏡筒６が繰り込み動作を行った場合、前記駆動部材５の外周部に半径方向外側に突出するとともに軸線方向（光軸に沿って鏡筒後方側）へ延出するカム５ｄに形成された斜向カム面５ｅが、不図示のカメラボディに形成されたカム面に係合されることで、前記駆動部材５が反時計回り方向へと回転し、これと一体となって前記主バリア羽根１が時計回り方向に回転するとともに前記副バリア羽根２が反時計回り方向に回転し、前記カバー部材８の開口部８ａを覆う。この際、前記駆動部材５の回転量は、本来前記主バリア羽根１および前記副バリア羽根２がちょうど開閉する量に設定すればよいが、実際には各種部品精度や嵌合ガタ等を考慮して、余裕量を見て前記駆動部材５の回転量を大きめに設定しておく必要がある。そのため、図５のバリア開き状態では当接している前記端面１ｄと前記駆動ピン５ｂとが、図４のバリア閉じ状態ではわずかに離れることになる。
【００２１】
前記レンズ鏡筒６が撮影位置に移動する場合、すなわち前記レンズ鏡筒６が繰り出し動作を行った場合、不図示のカメラボディに形成されたカム面に係合されることで回転規制されていた前記駆動部材５が前記バリア開きバネ７により時計回り方向に回転付勢され、これと一体となって前記主バリア羽根１が反時計回り方向に回転するとともに前記副バリア羽根２が時計回り方向に回転し、図５に示すバリア開き状態となる。図４と図７に示すように、前記主バリア羽根１の動作領域は前期駆動部材５のフック５ａと光軸方向厚みにおいて重なり合ってしまうが、バリア開き動作の際には、前記駆動部材５が時計回り方向に回転し、前記フック５ａが逃げたスペースに前記主バリア羽根１の先端部が入り込んでくる構成にすることによって、バリア装置を径方向において大型化することなく、かつバリア装置の機能を十分に満足し得るバリア開きバネのバネ力を得ることができる。また、図４のバリア閉じ状態では前記副バリア羽根２の座繰り部２ｃに収容されている前記防塵壁５ｃは、図５と図８に示すようにバリア開き状態では、前記主バリア羽根１と前記副バリア羽根２の歯車部１ｂ、２ｂの内周側に位置するように回転する。これにより、バリア開き状態において前記カバー部材８の開口部８ａから進入した砂等の異物が前記歯車部１ｂ、２ｂに挟まってしまうことを防止することができる。
【００２２】
すなわち、以上のように構成すれば、各々の基端部に設けられた歯車により連結された主動バリア部材と従動バリア部材とを備え、前記主動バリア部材が回動するのと一体となって前記従動バリア部材が回動することによって、撮影光学系の光路を遮断する閉位置と、これより外方に退避する開位置との間で開閉可能であるレンズバリアと、略リング状に形成され、ほぼ光軸を中心に回転し、該リング状の部材の一部に設けられた駆動用部材により、前記主動バリア部材を開閉動作させるバリア駆動部材とを備えてなるバリア機構であって、前記レンズバリアの開状態において、前記主動バリア部材および前記従動バリア部材の連結歯車部の光路側にあたる位置に、前記バリア駆動部材に壁を設けた構成にすることによって、砂等の異物がバリア内に進入しても、バリアの連結歯車部に異物が挟まってしまうことなく、レンズ鏡筒が沈胴してもバリアが閉じきらなくなることを防ぐことができる効果がある。
【００２３】
また、各々の基端部に設けられた歯車により連結された主動バリア部材と従動バリア部材とを備え、前記主動バリア部材が回動するのと一体となって前記従動バリア部材が回動することによって、撮影光学系の光路を遮断する閉位置と、これより外方に退避する開位置との間で開閉可能であるレンズバリアと、略リング状に形成され、ほぼ光軸を中心に回転し、該リング状の部材の一部に設けられた駆動用部材により、前記主動バリア部材を開閉動作させるバリア駆動部材とを備えてなるバリア機構であって、前記主動バリア部材を開位置へ駆動する際には、前記駆動部材で直接駆動し、閉位置へ駆動する際には前記駆動部材と前記主動バリア部材との間に弾性部材を介して駆動する構成にすることによって、従来開閉レバーにより主動バリアを駆動していたために駆動バネの配置に制限があったものを、光軸中心に回転するバリア駆動部材により主動バリアを駆動することによって、駆動バネの配置の自由度が増し、バリア機構の薄型化を図ることができる効果がある。
【００２４】
また、前記主動バリア部材と、前記従動バリア部材と、前記弾性部材と、前記バリア駆動部材の一部である駆動用部材と、さらに、前記バリア駆動部材をバリアの開方向へ付勢するための機構の少なくとも一部が、光軸の方向に関して領域を共有している構成にすることによって、バリア機構の厚み方向の寸法を押さえて、バリア機構の薄型化を図ることができる効果がある。
【００２５】
また、前記主動バリア部材のバリア開状態での位置と、前記バリア駆動部材をバリアの開方向へ付勢する部材を前記バリア駆動部材に連結する部分のバリア閉状態での位置と、光軸に直交する平面内で重なる構成にすることによって、バリア機構を径方向に大型化することなく薄型化を図ることができる効果がある。
【図面の簡単な説明】
【００２６】
【図１】本実施例におけるバリア機構の構成斜視図である。
【図２】本実施例における主バリア羽根を背面側から見た斜視図である。
【図３】本実施例における吸収バネの正面図である。
【図４】本実施例におけるバリア閉じ状態での正面図である。
【図５】本実施例におけるバリア開き状態での正面図である。
【図６】本実施例における副バリア羽根を背面側から見た斜視図である。
【図７】本実施例におけるバリア閉じ状態での右側面図である。
【図８】本実施例におけるバリア開き状態での補助詳細図である。
【図９】従来例におけるバリア閉じ状態での正面図である。
【図１０】従来例におけるバリア開き状態での正面図である。
【図１１】従来例におけるバリア閉じ状態での右側面図である。
【符号の説明】
【００２７】
１  主バリア羽根
２  副バリア羽根
３  吸収バネ
４  ベース部材
５  駆動部材
６  レンズ鏡筒
７  バリア開きバネ
８  カバー部材
１０１  主バリア
１０２  副バリア
１０３  開閉レバー
１０４  駆動バネ
１０５  吸収バネ
１０６  カバー部材
【図１】
2005070594.tif 000003
【図２】
2005070594.tif 000004
【図３】
2005070594.tif 000005
【図４】
2005070594.tif 000006
【図５】
2005070594.tif 000007
【図６】
2005070594.tif 000008
【図７】
2005070594.tif 000009
【図８】
2005070594.tif 000010
【図９】
2005070594.tif 000011
【図１０】
2005070594.tif 000012
【図１１】
2005070594.tif 000013